【手続補正書】
【提出日】令和1年8月6日(2019.8.6)
【手続補正１】
【補正対象書類名】特許請求の範囲
【補正対象項目名】全文
【補正方法】変更
【補正の内容】
【特許請求の範囲】
【請求項１】
装置であって、
少なくとも１つの誘電層と、前記少なくとも１つの誘電層の表面上の伝導性パターンとを備える平面複合構造（ＰＣＳ）を備え、
前記伝導性パターンは、
少なくとも第１および第２の伝導性トレースであって、それぞれは、内側半径から外側半径まで半径方向に延び、前記表面上に角度を付けて配置されている、第１および第２の伝導性トレースと、
前記外側半径において前記第１の伝導性トレースに接続された第１の部分と、前記外側半径において前記第２の伝導性トレースに接続された第２の部分とを有する第１の相互接続と
を備え、
前記第１の相互接続は、内縁および外縁によって境界を付けられ、かつ開始領域、遷移領域、および終了領域を有し、前記開始領域は、前記第１の伝導性トレースから前記遷移領域まで延びている第１のアールを形成された内縁区分を有し、
前記第１のアールを形成された内縁区分の少なくとも一部は、円弧長の関数として連続的に変動する曲率を有する、装置。
【請求項２】
前記第１のアールを形成された内縁区分の曲率は、
θｓおよびｒｓから開始し、θ＞θｓに対して評価される角のために、角方程式
【数１】
2018533345.tif 000001
によって、または、θ＜θｓに関して評価され、θｓおよびｒｓで終了する角のために、等価な反射バージョン
【数２】
2018533345.tif 000002
によって少なくとも部分的に特徴付けられる、請求項１に記載の装置。
【請求項３】
前記終了領域は、前記遷移領域から前記第２の伝導性トレースまで延びている第２のアールを形成された内縁区分を有し、
前記第２のアールを形成された内縁区分の少なくとも一部は、円弧長の関数として連続的に変動する曲率を有する、請求項１または請求項２に記載の装置。
【請求項４】
前記第２のアールを形成された内縁区分の曲率は、
θｓおよびｒｓから開始し、θ＞θｓに対して評価される角のために、角方程式
【数３】
2018533345.tif 000003
によって、または、θ＜θｓに関して評価され、θｓおよびｒｓで終了する角のために、等価な反射バージョン
【数４】
2018533345.tif 000004
によって少なくとも部分的に特徴付けられる、請求項３に記載の装置。
【請求項５】
前記第１の相互接続の前記内縁全体のための前記角方程式は、方程式
【数５】
2018533345.tif 000005
によって特徴付けられ、
ここで、ｒｓ１、θ１は、開始トレースにおける構造の開始点であり、ｒｓ２、θ２は、前記構造の終了点であり、αは、前記角のパラメータであり、ｒｄは、前記構造が主に角度方向に延びている半径である、請求項４に記載の装置。
【請求項６】
前記開始領域は、前記第１の伝導性トレースから前記遷移領域まで延びている第１のアールを形成された外縁区分と、前記遷移領域から前記第２の伝導性トレースまで延びている第２のアールを形成された外縁区分とを有し、
前記第１のアールを形成された外縁区分の少なくとも一部は、円弧長の関数として連続的に変動する曲率を有し、
前記第２のアールを形成された外縁区分の少なくとも一部は、円弧長の関数として連続的に変動する曲率を有する、請求項１〜５のいずれかに記載の装置。
【請求項７】
前記第１のアールを形成された外縁区分の曲率および前記第２のアールを形成された外縁区分の曲率はそれぞれ、
θｓおよびｒｓから開始し、θ＞θｓに対して評価される角のために、角方程式
【数６】
2018533345.tif 000006
によって、または、θ＜θｓに関して評価され、θｓおよびｒｓで終了する角のために、等価な反射バージョン
【数７】
2018533345.tif 000007
によって少なくとも部分的に特徴付けられる、請求項６に記載の装置。
【請求項８】
前記ＰＣＳは、複数の層を有し、
前記装置は、異なる層上の伝導性パターンの一部を相互接続するための接続構造をさらに含む、請求項１〜７のいずれかに記載の装置。
【請求項９】
前記装置は、軸方向束モータまたは発電機のための固定子を備える、請求項１〜８のいずれかに記載の装置。
【請求項１０】
前記第１の伝導性トレースと、同様に前記内側半径から前記外側半径まで延びている隣接する伝導性トレースとの間の角度分離は、δラジアンであり、αは、０．０６δ〜０．２δラジアンに及ぶ、請求項２、４、５、および７のいずれかに記載の装置。
【請求項１１】
装置であって、
少なくとも１つの誘電層と、前記少なくとも１つの誘電層の表面上の伝導性パターンとを備える平面複合構造（ＰＣＳ）を備え、
前記伝導性パターンは、
少なくとも第１および第２の伝導性トレースであって、それぞれは、内側半径から外側半径まで半径方向に延び、前記表面上に角度を付けて配置されている、第１および第２の伝導性トレースと、
前記外側半径において前記第１の伝導性トレースに接続された第１の部分と、前記外側半径において前記第２の伝導性トレースに接続された第２の部分とを有する第１の相互接続と
を備え、
前記第１の相互接続は、内縁および外縁によって境界を付けられ、かつ開始領域、遷移領域、および終了領域を有し、前記開始領域は、前記外側半径において前記第１の伝導性トレースから前記遷移領域まで延びている第１のアールを形成された内縁区分と、前記外側半径において前記遷移領域から前記第２の伝導性トレースまで延びている第２のアールを形成された内縁区分とを有し、
少なくとも前記第１のアールを形成された内縁区分および前記第２のアールを形成された内縁区分はそれぞれ、前記第１の伝導性トレースから前記遷移領域までｒ（θ）の線形関数である傾きｄｒ／ｄθによって特徴付けられ、前記傾きｄｒ／ｄθは、前記遷移領域から前記第２の伝導性トレースまでとは異なる線形関数である、装置。
【請求項１２】
前記ＰＣＳは、複数の層を有し、
前記装置は、異なる層上の伝導性パターンの一部を相互接続するための接続構造をさらに含む、請求項１１に記載の装置。
【請求項１３】
前記装置は、軸方向束モータまたは発電機のための固定子を備える、請求項１１または請求項１２に記載の装置。
【請求項１４】
装置であって、
少なくとも１つの誘電層と、前記少なくとも１つの誘電層の表面上の伝導性パターンとを備える平面複合構造（ＰＣＳ）を備え、
前記伝導性パターンは、
少なくとも第１および第２の伝導性トレースであって、それぞれは、内側半径から外側半径まで半径方向に延び、前記表面上に角度を付けて配置されている、第１および第２の伝導性トレースと、
前記外側半径において前記第１の伝導性トレースに接続された第１の部分と、前記外側半径において前記第２の伝導性トレースに接続された第２の部分とを有する第１の相互接続と
を備え、
前記第１の相互接続は、内縁および外縁によって境界を付けられ、かつ開始領域、遷移領域、および終了領域を有し、前記開始領域は、前記外側半径において前記第１の伝導性トレースから前記遷移領域まで延び、前記終了領域は、前記外側半径において前記遷移領域から前記第２の伝導性トレースまで延び、
前記内縁と前記外縁との間の任意の点において、直流励起下の最小電流密度の大きさは、その点を通して通過する前記内縁と前記外縁との間の最短線に沿って評価される最大電流密度の大きさの少なくとも５０％である、装置。
【請求項１５】
前記ＰＣＳは、複数の層を有し、
前記装置は、異なる層上の伝導性パターンの一部を相互接続するための接続構造をさらに含む、請求項１４に記載の装置。
【請求項１６】
前記装置は、軸方向束モータまたは発電機のための固定子を備える、請求項１４または請求項１５に記載の装置。
【請求項１７】
装置であって、
少なくとも２つの誘電層と、各前記誘電層の表面上の伝導性パターンとを備える平面複合構造（ＰＣＳ）を備え、
少なくとも１つの伝導性パターンは、複数の第１の伝導性トレースを備え、それぞれは、内側半径から外側半径まで半径方向に延び、前記誘電表面のうちの異なる１つ上に角度を付けて配置され、
前記第１の伝導性トレースのうちの少なくとも１つは、その外側半径において、第１の中間層相互接続によって、その外側半径において異なる表面上の前記第１の伝導性トレースのうちの少なくとももう１つに接続され、
少なくとも前記第１の中間層相互接続は、第１の層上の開始領域、遷移領域、および異なる層上の終了領域を有し、前記第１の伝導性トレースから前記遷移領域まで延びている第１のアールを形成された内縁区分と、その外側半径において前記遷移領域から第２の伝導性トレースまで延びている第２のアールを形成された内縁区分とをさらに備え、
少なくとも前記第１のアールを形成された内縁区分および前記第２のアールを形成された内縁区分はそれぞれ、少なくとも部分的に、軸方向に隣接する伝導性表面構造上の寄生および渦電流効果を低減させるように設計された構造によって特徴付けられる、装置。
【請求項１８】
前記ＰＣＳは、複数の層を有し、
前記装置は、異なる層上の伝導性パターンの一部を相互接続するための接続構造をさらに含む、請求項１７に記載の装置。
【請求項１９】
前記装置は、軸方向束モータまたは発電機のための固定子を備える、請求項１７または請求項１８に記載の装置。
【請求項２０】
装置であって、
少なくとも１つの誘電層と、前記少なくとも１つの誘電層の表面上の伝導性パターンとを備える平面複合構造（ＰＣＳ）を備え、
前記伝導性パターンは、
少なくとも第１および第２の伝導性トレースであって、それぞれは、内側半径から外側半径まで半径方向に延び、前記表面上に角度を付けて配置されている、第１および第２の伝導性トレースと、
前記外側半径において前記第１の伝導性トレースに接続された第１の部分と、前記外側半径において前記第２の伝導性トレースに接続された第２の部分とを有する第１の相互接続と
を備え、
前記第１の相互接続は、内縁および外縁によって境界を付けられ、かつ開始領域、遷移領域、および終了領域を有し、前記開始領域は、前記外側半径において前記第１の伝導性トレースから前記遷移領域まで延びている第１のアールを形成された内縁区分と、前記外側半径において前記遷移領域から前記第２の伝導性トレースまで延びている第２のアールを形成された内縁区分とを有し、
少なくとも前記第１のアールを形成された内縁区分および前記第２のアールを形成された内縁区分はそれぞれ、少なくとも部分的に、前記第１の相互接続の外側伝導性部分における渦電流を低減させるための構造によって特徴付けられる、装置。
【請求項２１】
前記ＰＣＳは、複数の層を有し、
前記装置は、異なる層上の伝導性パターンの一部を相互接続するための接続構造をさらに含む、請求項２０に記載の装置。
【請求項２２】
前記装置は、軸方向束モータまたは発電機のための固定子を備える、請求項２０または請求項２１に記載の装置。
【請求項２３】
装置であって、
少なくとも１つの誘電層と、前記少なくとも１つの誘電層の表面上の伝導性パターンとを備える平面複合構造（ＰＣＳ）を備え、
少なくとも第１および第２の伝導性トレースであって、それぞれは、内側半径から外側半径まで半径方向に延び、前記表面上に角度を付けて配置されている、第１および第２の伝導性トレースと、
前記外側半径において前記第１の伝導性トレースに接続された第１の部分と、前記外側半径において前記第２の伝導性トレースに接続された第２の部分とを有する第１の相互接続と
を備え、
前記第１の相互接続は、内縁および外縁によって境界を付けられ、かつ開始領域、遷移領域、および終了領域を有し、前記開始領域は、前記外側半径において前記第１の伝導性トレースから前記遷移領域まで延びている第１のアールを形成された内縁および外縁区分と、前記外側半径において前記遷移領域から前記第２の伝導性トレースまで延びている第２のアールを形成された内縁および外縁区分とを有し、
前記第１のアールを形成された内縁区分および外縁区分と、前記第２のアールを形成された内縁区分および外縁区分との少なくとも個別の傾きはそれぞれ、前記第１の伝導性トレースから前記第２の伝導性トレースまで回転角度の関数として単調に変化する傾きの値によって特徴付けられる、装置。
【請求項２４】
前記ＰＣＳは、複数の層を有し、
前記装置は、異なる層上の伝導性パターンの一部を相互接続するための接続構造をさらに含む、請求項２３に記載の装置。
【請求項２５】
前記装置は、軸方向束モータまたは発電機のための固定子を備える、請求項２３または請求項２４に記載の装置。
【請求項２６】
装置であって、
少なくとも２つの誘電層と、各前記誘電層の表面上の伝導性パターンとを備える平面複合構造（ＰＣＳ）を備え、
少なくとも１つの伝導性パターンは、複数の第１の伝導性トレースを備え、それぞれは、内側半径から外側半径まで半径方向に延び、前記誘電表面のうちの異なる１つ上に角度を付けて配置され、
前記第１の伝導性トレースのうちの少なくとも１つは、その外側半径において、第１の中間層相互接続によって、その外側半径において異なる表面上の前記第１の伝導性トレースのうちの少なくとももう１つに接続され、
少なくとも前記第１の中間層相互接続は、第１の層上の開始領域、遷移領域、および異なる層上の終了領域を有し、前記第１の伝導性トレースから前記遷移領域まで延びている第１のアールを形成された内縁区分および第１のアールを形成された外縁区分と、その外側半径において前記遷移領域から第２の伝導性トレースまで延びている第２のアールを形成された内縁区分および第２のアールを形成された外縁区分とをさらに備え、
少なくともその遷移領域内の前記第１の相互接続の前記内縁区分と前記外縁区分との間において、前記第１の相互接続は、前記第１の相互接続の一端から前記第１の相互接続の他端まで電気伝導性を実質的に低減させず、前記第１の相互接続の前記遷移領域内の前記内縁区分と略平行に延びている、少なくとも１つのスリット状の細長い領域を有する、装置。
【請求項２７】
前記ＰＣＳは、複数の層を有し、
前記装置は、異なる層上の伝導性パターンの一部を相互接続するための接続構造をさらに含む、請求項２６に記載の装置。
【請求項２８】
前記装置は、軸方向束モータまたは発電機のための固定子を備える、請求項２６または請求項２７に記載の装置。
【請求項２９】
装置であって、
少なくとも１つの誘電層と、前記少なくとも１つの誘電層の表面上の伝導性パターンとを備える平面複合構造（ＰＣＳ）を備え、
少なくとも第１および第２の伝導性トレースであって、それぞれは、内側半径から外側半径まで半径方向に延び、前記表面上に角度を付けて配置されている、第１および第２の伝導性トレースと、
前記外側半径において前記第１の伝導性トレースに接続された第１の部分と、前記外側半径において前記第２の伝導性トレースに接続された第２の部分とを有する第１の相互接続と
を備え、
前記第１の相互接続は、内縁および外縁によって境界を付けられ、かつ開始領域、遷移領域、および終了領域を有し、前記開始領域は、前記外側半径において前記第１の伝導性トレースから前記遷移領域まで延びている第１のアールを形成された内縁区分と、前記外側半径において前記遷移領域から前記第２の伝導性トレースまで延びている第２のアールを形成された内縁区分とを有し、
前記第１の伝導性トレースと前記開始領域との間の接続から前記遷移領域の始点までの前記第１の相互接続の前記内縁の一部は、前記第１の伝導性トレースから前記遷移領域に向かう前記第１の相互接続の前記内縁に沿って測定された前記内縁の一部の距離の最初の２０％以内において、ＦＥＡ／ＦＥＭ計算によって決定されるような最大電流密度値の少なくとも９０％を達成する、装置。
【請求項３０】
前記ＰＣＳは、複数の層を有し、
前記装置は、異なる層上の伝導性パターンの一部を相互接続するための接続構造をさらに含む、請求項２９に記載の装置。
【請求項３１】
前記装置は、軸方向束モータまたは発電機のための固定子を備える、請求項２９または請求項３０に記載の装置。
【手続補正２】
【補正対象書類名】明細書
【補正対象項目名】００２４
【補正方法】変更
【補正の内容】
【００２４】
本開示のさらに別の例示的実施形態では、固定子は、少なくとも１つの誘電層および各該誘電層の表面上の伝導性パターンを有する平面複合構造（ＰＣＳ）を有する。少なくとも１つの伝導性パターンは、各々が内側半径から外側半径まで半径方向に延び、誘電表面のうちの１つ上に角度を付けて配置される複数の第１の伝導性トレースを有する。第１の伝導性トレースのうちの少なくとも１つは、その外側半径において、第１の相互接続によって、その外側半径における第１の伝導性トレースのうちの少なくとも１つの他のものに接続される。第１の相互接続は、少なくとも内縁および外縁によって境界を付けられる。第１の相互接続は、開始領域、遷移領域、および終了領域を有し、第１のアールを形成された内縁区分が、第１の伝導性トレースから遷移領域まで延び、第２のアールを形成された内縁区分が、遷移領域から他の伝導性トレースの外側半径における１つの他の伝導性トレースまで延びている。第１の伝導性トレースと開始領域との間の接続から遷移領域の始点までの相互接続の内縁は、「ＣＴ内縁」距離として指定される。例示的実施形態は、第１の伝導性トレースから遷移領域に向かう相互接続の内縁に沿って測定されたＣＴ内縁の最初の２０％以内において、ＦＥＡ／ＦＥＭ計算によって決定されるような最大電流密度値の少なくとも９０％を達成する。
本願明細書は、例えば、以下の項目も提供する。
（項目１）
固定子であって、前記固定子は、少なくとも１つの誘電層と前記誘電層の各々の表面上の伝導性パターンとを備えている平面複合構造（ＰＣＳ）を備え、前記伝導性パターンは、複数の第１の伝導性トレースを備え、前記第１の伝導性トレースの各々は、内側半径から外側半径まで半径方向に延び、前記誘電表面のうちの１つ上に角度を付けて配置されており、
前記第１の伝導性トレースのうちの少なくとも１つは、その外側半径において、第１の相互接続によって、その外側半径における前記第１の伝導性トレースのうちの少なくとも１つの他のものに接続され、
少なくとも前記第１の相互接続は、内縁および外縁によって境界を付けられ、開始領域、遷移領域、終了領域を有し、前記開始領域は、前記第１の伝導性トレースから前記遷移領域まで延びている第１のアールを形成された内縁区分を有し、前記終了領域は、前記遷移領域から前記他の伝導性トレースまで延びている第２のアールを形成された内縁区分を有し、
少なくとも前記第１のアールを形成された内縁区分および前記第２のアールを形成された内縁区分の各々は、
θｓおよびｒｓから開始し、θ＞θｓに対して評価される角のために、角方程式：
【数４−１】
2018533345.tif 000008
によって、または、θ＜θｓに関して評価され、θｓおよびｒｓで終了する角のために、等価な反射バージョン：
【数４−２】
2018533345.tif 000009
によって少なくとも部分的に特徴付けられ、
αは、前記固定子の要求される物理的構造に従って調節されるパラメータである、
固定子。
（項目２）
前記相互接続の内縁領域全体のための角方程式は、以下の単一方程式によって特徴付けられ、
【数５】
2018533345.tif 000010
ここで、ｒｓ１、θ１は、前記開始トレースにおける前記構造の開始点であり、ｒｓ２、θ２は、前記構造の終了点であり、αは、前記角のパラメータであり、ｒｄは、前記構造が主に角度方向に延びている半径である、項目１に記載の固定子。
（項目３）
前記固定子は、多層固定子であり、１つの伝導性トレースの前記開始領域を異なる層における第２の伝導性トレースの前記終了領域に相互接続するための接続構造をさらに含む、項目１に記載の固定子。
（項目４）
２つの隣接する第１の伝導性トレース間の角度分離は、δラジアンであり、αは、０．０６δ〜０．２δラジアンの範囲である、項目１に記載の固定子。
（項目５）
固定子であって、前記固定子は、少なくとも１つの誘電層と前記誘電層の各々の表面上の伝導性パターンとを備えている平面複合構造（ＰＣＳ）を備え、少なくとも１つの伝導性パターンは、複数の第１の伝導性トレースを備え、前記第１の伝導性トレースの各々は、内側半径から外側半径まで半径方向に延び、前記誘電表面のうちの１つ上に角度を付けて配置されており、
前記第１の伝導性トレースのうちの少なくとも１つは、その外側半径において、第１の相互接続によって、その外側半径における前記第１の伝導要素のうちの少なくとも１つの他のものに接続され、
少なくとも前記第１の相互接続は、内縁および外縁によって境界を付けられ、開始領域、遷移領域、終了領域を有し、前記開始領域は、前記第１の伝導性トレースから前記遷移領域まで延びている第１のアールを形成された内縁区分および第１のアールを形成された外縁区分と、前記遷移領域および前記他の伝導性トレースから延びている第２のアールを形成された内縁区分および第２のアールを形成された外縁区分とを有し、
少なくとも前記第１のアールを形成された内縁および外縁区分ならびに前記第２のアールを形成された内縁および外縁区分の各々は、
θｓおよびｒｓから開始し、θ＞θｓに対して評価される角のために、角方程式：
【数５−１】
2018533345.tif 000011
によって、または、θ＜θｓに関して評価され、θｓおよびｒｓで終了する角のために、等価な反射バージョン：
【数５−２】
2018533345.tif 000012
によって少なくとも部分的に特徴付けられ、
αは、前記固定子の要求される物理的構造に従って調節されるパラメータである、
固定子。
（項目６）
固定子であって、前記固定子は、少なくとも１つの誘電層と前記誘電層の各々の表面上の伝導性パターンとを備えている平面複合構造（ＰＣＳ）を備え、少なくとも１つの伝導性パターンは、複数の第１の伝導性トレースを備え、前記第１の伝導性トレースの各々は、内側半径から外側半径まで半径方向に延び、前記誘電表面のうちの１つ上に角度を付けて配置されており、
前記第１の伝導性トレースのうちの少なくとも１つは、その外側半径において、第１の相互接続によって、その外側半径における前記第１の伝導要素のうちの少なくとも１つの他のものに接続され、
少なくとも前記第１の相互接続は、内縁および外縁によって境界を付けられ、開始領域、遷移領域、終了領域を有し、前記開始領域は、その外側半径における前記第１の伝導性トレースから前記遷移領域まで延びている第１のアールを形成された内縁区分と、前記遷移領域からその外側半径における前記他の伝導性トレースまで延びている第２のアールを形成された内縁区分とを有し、
少なくとも前記第１のアールを形成された内縁区分および前記第２のアールを形成された内縁区分の各々は、前記１つの伝導性トレースから前記遷移領域までｒ（θ）の線形関数である傾きｄｒ／ｄθによって特徴付けられ、前記傾きｄｒ／ｄθは、前記遷移領域から前記他の伝導性トレースまでとは異なる線形関数である、固定子。
（項目７）
固定子であって、前記固定子は、少なくとも１つの誘電層と前記誘電層の各々の表面上の伝導性パターンとを備えている平面複合構造（ＰＣＳ）を備え、少なくとも１つの伝導性パターンは、複数の第１の伝導性トレースを備え、前記第１の伝導性トレースの各々は、内側半径から外側半径まで半径方向に延び、前記誘電表面のうちの１つ上に角度を付けて配置されており、
前記第１の伝導性トレースのうちの少なくとも１つは、その外側半径において、その外側半径における第１の相互接続の開始領域に接続され、前記第１の相互接続は、内縁および外縁によって境界を付けられ、前記開始領域、遷移領域、および終了領域を有し、第１のアールを形成された内縁区分が、前記１つの伝導性トレースの外側半径から前記遷移領域まで延び、第２のアールを形成された内縁区分が、前記遷移領域からその外側半径における前記他の伝導性トレースまで延び、前記内縁と外縁との間の任意の点において、直流励起下の最小電流密度の大きさは、その点を通して通過する前記内縁と外縁との間の最短線に沿って評価される最大電流密度の大きさの少なくとも５０％である、固定子。
（項目８）
固定子であって、前記固定子は、少なくとも２つの誘電層と前記誘電層の各々の表面上の伝導性パターンとを備えている平面複合構造（ＰＣＳ）を備え、少なくとも１つの伝導性パターンは、複数の第１の伝導性トレースを備え、前記第１の伝導性トレースの各々は、内側半径から外側半径まで半径方向に延び、前記誘電表面のうちの１つ上に角度を付けて配置されており、
前記第１の伝導性トレースのうちの少なくとも１つは、その外側半径において、第１の中間層相互接続によって、その外側半径における異なる表面上の前記第１の伝導性トレースのうちの少なくとも１つの他のものに接続され、
少なくとも前記第１の中間層相互接続は、第１の層上の開始領域、遷移領域、および異なる層上の終了領域を有し、第１の伝導性トレースから前記遷移領域まで延びている第１のアールを形成された内縁区分と、前記遷移領域からその外側半径における前記他の伝導性トレースまで延びている第２のアールを形成された内縁区分とをさらに備え、
少なくとも前記第１のアールを形成された内縁区分および前記第２のアールを形成された内縁区分の各々は、軸方向に隣接する伝導性表面構造における寄生および渦電流効果を低減させるように設計される構造によって少なくとも部分的に特徴付けられる、固定子。
（項目９）
固定子であって、前記固定子は、少なくとも１つの誘電層と前記誘電層の各々の表面上の伝導性パターンとを備えている平面複合構造（ＰＣＳ）を備え、前記伝導性パターンは、複数の第１の伝導性トレースを備え、前記第１の伝導性トレースの各々は、内側半径から外側半径まで半径方向に延び、前記誘電表面のうちの１つ上に角度を付けて配置されており、
前記第１の伝導性トレースのうちの少なくとも１つは、その外側半径において、第１の相互接続によって、その外側半径における前記第１の伝導性トレースのうちの少なくとも１つの他のものに接続され、
少なくとも前記第１の相互接続は、内縁および外縁によって境界を付けられ、開始領域、遷移領域、終了領域を有し、第１のアールを形成された内縁区分が、前記接続されるその外側半径における第１の伝導性トレースから前記遷移領域まで延び、第２のアールを形成された内縁区分が、前記遷移領域を前記１つの他の伝導性トレースの外側半径に接続し、
少なくとも前記第１のアールを形成された内縁区分および前記第２のアールを形成された内縁区分の各々は、前記相互接続の外側伝導性部分における渦電流を低減させるための構造によって特徴付けられる、固定子。
（項目１０）
固定子であって、前記固定子は、少なくとも１つの誘電層と前記誘電層の各々の表面上の伝導性パターンとを備えている平面複合構造（ＰＣＳ）を備え、前記伝導性パターンは、複数の第１の伝導性トレースを備え、前記第１の伝導性トレースの各々は、内側半径から外側半径まで半径方向に延び、前記誘電表面のうちの１つ上に角度を付けて配置されており、
前記第１の伝導性トレースのうちの少なくとも１つは、その外側半径において、第１の相互接続によって、その外側半径における前記第１の伝導性トレースのうちの少なくとも１つの他のものに接続され、
少なくとも前記第１の相互接続は、内縁および外縁によって境界を付けられ、開始領域、遷移領域、終了領域を有し、第１のアールを形成された内縁および外縁区分が、前記第１の伝導性トレースから前記遷移領域まで延び、第２のアールを形成された内縁および外縁区分が、前記遷移領域からその外側半径における前記１つの他の伝導性トレースまで延び、
前記第１のアールを形成された内縁区分および外縁区分ならびに前記第２のアールを形成された内縁区分および外縁区分の少なくともそれぞれの傾きの各々は、前記１つの伝導性トレースから前記他の伝導性トレースまで回転角度の関数として単調に変化する傾きの値によって特徴付けられる、固定子。
（項目１１）
固定子であって、前記固定子は、少なくとも１つの誘電層と前記誘電層の各々の表面上の伝導性パターンとを備えている平面複合構造（ＰＣＳ）を備え、前記伝導性パターンは、複数の第１の伝導性トレースを備え、前記第１の伝導性トレースの各々は、内側半径から外側半径まで半径方向に延び、前記誘電表面のうちの１つ上に角度を付けて配置されており、
前記第１の伝導性トレースのうちの少なくとも１つは、その外側半径において、第１の相互接続によって、その外側半径における前記第１の伝導性トレースのうちの少なくとも１つの他のものに接続され、
少なくとも前記第１の相互接続は、内縁および外縁によって境界を付けられ、開始領域、遷移領域、終了領域を有し、第１のアールを形成された内縁区分および第１のアールを形成された外縁区分が、前記第１の伝導性トレースから前記遷移領域まで延び、第２のアールを形成された内縁区分および第２のアールを形成された外縁区分が、前記遷移領域から前記他の伝導性トレースの外側半径における前記１つの他の伝導性トレースまで延び、
少なくともその遷移領域における前記相互接続の前記内縁と前記外縁との間において、前記相互接続は、前記相互接続の一端から前記相互接続の他端まで電気伝導性を実質的に低減させない少なくとも１つのスリット状の細長い領域を有し、前記少なくとも１つのスリット状の細長い領域は、前記相互接続の前記遷移領域において前記内縁と略平行に延びている、固定子。
（項目１２）
固定子であって、前記固定子は、少なくとも１つの誘電層と前記誘電層の各々の表面上の伝導性パターンとを備えている平面複合構造（ＰＣＳ）を備え、前記伝導性パターンは、複数の第１の伝導性トレースを備え、前記第１の伝導性トレースの各々は、内側半径から外側半径まで半径方向に延び、前記誘電表面のうちの１つ上に角度を付けて配置されており、
前記第１の伝導性トレースのうちの少なくとも１つは、その外側半径において、第１の相互接続によって、その外側半径における前記第１の伝導性トレースのうちの少なくとも１つの他のものに接続され、
少なくとも前記第１の相互接続は、内縁および外縁によって境界を付けられ、開始領域、遷移領域、および終了領域を有し、第１のアールを形成された内縁区分が、前記第１の伝導性トレースから前記遷移領域まで延び、第２のアールを形成された内縁区分が、前記遷移領域から前記他の伝導性トレースの外側半径における前記１つの他の伝導性トレースまで延び、
前記第１の伝導性トレースと前記開始領域との間の接続から前記遷移領域の始点までの前記相互接続の前記内縁は、「ＣＴ内縁」距離として指定され、前記第１の伝導性トレースから前記遷移領域に向かう前記相互接続の前記内縁に沿って測定された前記ＣＴ内縁の最初の２０％以内において、ＦＥＡ／ＦＥＭ計算によって決定されるような最大電流密度値の少なくとも９０％を達成する、固定子。
（項目１３）
印刷回路基板であって、前記印刷回路基板は、
少なくとも１つの誘電層および前記誘電層の各々の表面上の伝導性パターンを備えている平面複合構造（ＰＣＳ）を備え、前記伝導性パターンは、複数の第１の伝導性トレースを備え、
前記第１の伝導性トレースのうちの少なくとも１つは、第１の端部において、第１の相互接続によって、少なくとも１つの他の伝導性トレースに接続され、前記伝導性トレースの接続された端部は、互いから角度を付けてオフセットされており、
少なくとも前記第１の相互接続は、内縁および外縁によって境界を付けられ、開始領域、遷移領域、終了領域を有し、前記開始領域は、前記第１の伝導性トレースから前記遷移領域まで延びている第１のアールを形成された内縁区分を有し、前記終了領域は、前記遷移領域から前記他の伝導性トレースまで延びている第２のアールを形成された内縁区分を有し、
少なくとも前記第１のアールを形成された内縁区分および前記第２のアールを形成された内縁区分の各々は、
θｓおよびｒｓから開始し、θ＞θｓに対して評価される角のために、角方程式：
【数５−３】
2018533345.tif 000013
によって、または、θ＜θｓに関して評価され、θｓおよびｒｓで終了する角のために、等価な反射バージョン：
【数５−４】
2018533345.tif 000014
によって少なくとも部分的に特徴付けられ、
αは、前記固定子の要求される物理的構造に従って調節されるパラメータである、
印刷回路基板。
（項目１４）
前記基板は、多層構造を有し、前記相互接続は、第１の基板層上の１つのトレースと第２の基板層上の第２のトレースとを接続する、項目１３に記載の印刷回路基板。